(57)【要約】【課題】製造コストを低減することができる画像読取装置を提供する。【解決手段】取付部材４０に、スペーサ部４３及び被ガイド部４４を同一の材料で一体的に形成する。第１読取処理時には、スペーサ部４３が第１透明板の裏面に接触することにより当該第１透明板と画像読取部３との距離を一定に保つ。第２読取処理時には、スペーサ部４３が第２透明板の裏面に接触することにより当該第２透明板と画像読取部３との距離を一定に保つ。第１透明板側と第２透明板側との間を画像読取部３がスライドする際には、第１透明板及び第２透明板が取り付けられたカバー部材の裏面に形成されたガイド部に沿って、被ガイド部４４がガイドされ、スペーサ部４３とカバー部材の裏面との間に空間が形成される。スペーサ部４３及び被ガイド部４４を取付部材４０に同一の材料で一体的に形成することにより、部品点数を少なくして、製造コストを低減することができる。【選択図】  図３
2012244486.tif 000002
【特許請求の範囲】
【請求項１】
発光部及び受光部を有する画像読取部を備え、第１透明板の表面上に原稿を置いた状態で、前記画像読取部をスライドさせて当該原稿の画像を読み取る第１読取処理、及び、前記画像読取部を静止させた状態で、前記第２透明板の表面上を搬送される原稿の画像を読み取る第２読取処理を実行可能な画像読取装置であって、
前記画像読取部を保持する保持部材と、
前記保持部材をスライド可能な状態で収容する筺体と、
前記第１透明板及び前記第２透明板が前記保持部材のスライド方向に並べて取り付けられ、前記筺体を覆うためのカバー部材と、
前記画像読取部に取り付けられた取付部材とを備え、
前記取付部材には、
前記第１読取処理時には、前記第１透明板の裏面に接触することにより当該第１透明板と前記画像読取部との距離を一定に保ち、前記第２読取処理時には、前記第２透明板の裏面に接触することにより当該第２透明板と前記画像読取部との距離を一定に保つためのスペーサ部と、
前記第１透明板側と前記第２透明板側との間を前記画像読取部がスライドする際に、前記カバー部材の裏面に形成されたガイド部に沿ってガイドされることにより、前記スペーサ部と前記カバー部材の裏面との間に空間を形成するための被ガイド部とが、同一の材料で一体的に形成されていることを特徴とする画像読取装置。
【請求項２】
前記取付部材が、前記画像読取部に対して着脱可能であることを特徴とする請求項１に記載の画像読取装置。
【請求項３】
前記画像読取部は、前記保持部材のスライド方向に対して直交方向に延びる長尺形状を有しており、
前記取付部材が、前記画像読取部の長手方向の両端部に取り付けられていることを特徴とする請求項１又は２に記載の画像読取装置。
【請求項４】
前記被ガイド部が、前記取付部材における前記スライド方向の中央部に形成されており、
前記画像読取部の長手方向の両端部に同一の前記取付部材が取り付けられることにより、各取付部材の前記被ガイド部が、前記直交方向に沿って同軸上に位置していることを特徴とする請求項３に記載の画像読取装置。
【発明の詳細な説明】
【技術分野】
【０００１】
本発明は、発光部から原稿に向かって光を照射し、前記原稿からの反射光を受光部で受光することにより、前記原稿の画像を読み取るための画像読取装置に関するものである。
【背景技術】
【０００２】
例えばＣＩＳ（Contact Image Sensor）と呼ばれる密着型イメージセンサを画像読取部として備えた画像読取装置が知られている（例えば、特許文献１参照）。ＣＩＳには、発光部と受光部とが備えられており、当該ＣＩＳを保持する保持部材が原稿に対して平行にスライドされることにより走査が行われる。
【０００３】
この種の画像読取装置の中には、第１ガラス板及び第２ガラス板を備え、第１ガラス板の表面上の原稿を読み取る第１読取処理と、第２ガラス板の表面上の原稿を読み取る第２読取処理とを実行可能なものがある。より具体的には、第１読取処理では、第１ガラス板の表面上に原稿を置いた状態で、ＣＩＳをスライドさせて当該原稿の画像を読み取る。一方、第２読取処理では、ＣＩＳを静止させた状態で、原稿搬送装置（ＡＤＦ）を用いて第２ガラス板の表面上に原稿を搬送することにより、当該第２ガラス板の表面上を搬送される原稿の画像を読み取る。
【０００４】
ＣＩＳは、焦点深度が浅いため、原稿との距離の精度が高くなければ焦点のずれが生じやすいという特性を有している。そのため、ＣＩＳには、通常、第１読取処理時に第１ガラス板の裏面に接触し、第２読取処理時に第２ガラス板の裏面に接触するスペーサが取り付けられている（例えば、特許文献２及び３参照）。このスペーサにより、第１読取処理時には第１ガラス板とＣＩＳとの距離を一定に保ち、第２読取処理時には第２ガラス板とＣＩＳとの距離を一定に保つことができるので、焦点のずれを抑制することができる。
【０００５】
しかしながら、上記のようなスペーサを設けた場合には、第１ガラス板側と第２ガラス板側との間をＣＩＳがスライドする際に、第１ガラス板及び第２ガラス板を保持するカバー部材の裏面でスペーサが擦れないようにする必要がある。そこで、特許文献２及び３に開示された構成では、ＣＩＳに取り付けられた被ガイド部材（軸部材又はコロなど）が、カバー部材の裏面に形成されたガイド部に沿ってガイドされることにより、スペーサとカバー部材の裏面との間に空間が形成されるようになっている。
【先行技術文献】
【特許文献】
【０００６】
【特許文献１】特開２００６−２１１３５３号公報
【特許文献２】特開２００２−２１８１７６号公報
【特許文献３】特開２００５−１８４７２０号公報
【発明の概要】
【発明が解決しようとする課題】
【０００７】
上記特許文献２及び３に開示されているような構成では、スペーサと被ガイド部材とが、それぞれ別部材としてＣＩＳに取り付けられるため、部品点数の増加により製造コストが高くなるという問題があった。
【０００８】
本発明は上記実情に鑑みてなされたものであり、製造コストを低減することができる画像読取装置を提供することを目的とする。
【課題を解決するための手段】
【０００９】
本発明に係る画像読取装置は、発光部及び受光部を有する画像読取部を備え、第１透明板の表面上に原稿を置いた状態で、前記画像読取部をスライドさせて当該原稿の画像を読み取る第１読取処理、及び、前記画像読取部を静止させた状態で、前記第２透明板の表面上を搬送される原稿の画像を読み取る第２読取処理を実行可能な画像読取装置であって、前記画像読取部を保持する保持部材と、前記保持部材をスライド可能な状態で収容する筺体と、前記第１透明板及び前記第２透明板が前記保持部材のスライド方向に並べて取り付けられ、前記筺体を覆うためのカバー部材と、前記画像読取部に取り付けられた取付部材とを備え、前記取付部材には、前記第１読取処理時には、前記第１透明板の裏面に接触することにより当該第１透明板と前記画像読取部との距離を一定に保ち、前記第２読取処理時には、前記第２透明板の裏面に接触することにより当該第２透明板と前記画像読取部との距離を一定に保つためのスペーサ部と、前記第１透明板側と前記第２透明板側との間を前記画像読取部がスライドする際に、前記カバー部材の裏面に形成されたガイド部に沿ってガイドされることにより、前記スペーサ部と前記カバー部材の裏面との間に空間を形成するための被ガイド部とが、同一の材料で一体的に形成されていることを特徴とする。
【００１０】
このような構成によれば、第１透明板及び第２透明板の裏面に接触するスペーサ部と、カバー部材の裏面に形成されたガイド部に沿ってガイドされる被ガイド部とが、取付部材に一体的に形成されるため、部品点数を少なくして、製造コストを低減することができる。スペーサ部及び被ガイド部は、滑りを良くする観点から、いずれも動摩擦係数が比較的小さい材料で形成されることが好ましいため、当該スペーサ部及び被ガイド部を一体的に形成することにより、効率よく製造コストを低減することができる。
【００１１】
前記取付部材が、前記画像読取部に対して着脱可能であってもよい。
【００１２】
このような構成によれば、必要に応じて取付部材を画像読取部から取り外すことができる。例えば、取付部材が摩耗した場合などには、取付部材を画像読取部から取り外して、新しい取付部材に交換することが可能である。また、画像読取部を交換する場合などには、取付部材を画像読取部から取り外して、新しい画像読取部に取り付けることも可能である。
【００１３】
前記画像読取部は、前記保持部材のスライド方向に対して直交方向に延びる長尺形状を有しており、前記取付部材が、前記画像読取部の長手方向の両端部に取り付けられていてもよい。
【００１４】
このような構成によれば、画像読取部の長手方向の両端部に取り付けられた取付部材の各スペーサ部により、第１透明板と画像読取部との距離、及び、第２透明板と画像読取部との距離を安定して一定に保つことができる。また、画像読取部の長手方向の両端部に取り付けられた取付部材の各被ガイド部により、画像読取部をガイド部に沿って安定してガイドすることができる。
【００１５】
前記被ガイド部が、前記取付部材における前記スライド方向の中央部に形成されており、前記画像読取部の長手方向の両端部に同一の前記取付部材が取り付けられることにより、各取付部材の前記被ガイド部が、前記直交方向に沿って同軸上に位置していてもよい。
【００１６】
このような構成によれば、画像読取部の長手方向の両端部に同一の取付部材が取り付けられることにより、各取付部材の被ガイド部が、スライド方向に対する直交方向に沿って同軸上に位置するため、画像読取部をガイド部に沿って安定してガイドすることができる。また、同一の取付部材を用いることにより、部品点数を少なくして、製造コストを低減することができる。
【図面の簡単な説明】
【００１７】
【図１】本発明の一実施形態に係る画像読取装置を備えた画像形成装置の内部構成を示す概略断面図である。
【図２】上筺体の内部構成の一例を示した斜視図であり、上面板を取り外した状態を示している。
【図３】画像読取部の端部の構成を示す斜視図である。
【図４】上面板を裏面側から見た斜視図である。
【図５】図４の要部を拡大した斜視図である。
【図６】上筺体の内部構成の一例を示した部分断面図である。
【発明を実施するための形態】
【００１８】
図１は、本発明の一実施形態に係る画像読取装置を備えた画像形成装置１の内部構成を示す概略断面図である。本実施形態では、画像読取装置の一例として、当該画像読取装置が画像形成装置１に備えられた構成について説明するが、例えばスキャナ装置又はファクシミリ装置などの他の装置により画像読取装置が構成されていてもよい。また、以下に説明する画像形成装置１の具体的構成についても、その構成に限定されるものではない。
【００１９】
本実施形態における画像形成装置１は、例えば、原稿搬送装置（ＡＤＦ）２により自動的に供給される原稿の画像を画像読取部３で１枚ずつ読み取り、その原稿の画像データに基づいて記録紙Ｐに画像を形成する複写機である。当該画像形成装置１には、筺体１ａ内に、上記画像読取部３の他、画像形成部４及び給紙部５などが備えられており、当該筺体１ａの上面に原稿搬送装置２が設けられている。
【００２０】
原稿搬送装置２は、原稿トレイ２ａを備えており、当該原稿トレイ２ａ上に原稿をセットすることができるようになっている。原稿搬送装置２は、ピックアップローラ２ｂ及び用紙分離装置２ｃにより、原稿トレイ２ａ上にセットされた原稿を１枚ずつ送り出す。用紙分離装置２ｃは、例えば分離ローラ２０及び分離パッド２１を備えている。送り出された原稿は、複数の原稿搬送ローラ２ｄ、２ｅ、２ｆにより原稿搬送路２ｇを搬送され、当該原稿搬送路２ｇの途中で第２ガラス板３ｃ上を通過する際に、画像読取部３により画像が読み取られる。画像が読み取られた後の原稿は、排出ローラ２ｈにより原稿排出トレイ２ｉ上に順次排出される。
【００２１】
画像読取部３は、筺体１ａの一部を構成する上筺体３１内に収容されている。画像読取部３は、例えばＣＩＳ（密着型イメージセンサ）により構成され、発光部３３と、ＣＭＯＳ（Complementary Metal Oxide Semiconductor）センサなどの受光部３４とが設けられている。
【００２２】
画像読取部３は、主走査方向に直交する水平方向（副走査方向）に発光部３３を移動させながら第１ガラス板３ｄ上に置かれた原稿に光を照射し、原稿からの反射光を受光部３４で受光することによって、原稿の画像を読み取ることができる。また、画像読取部３は、静止した状態で第２ガラス板３ｃに向かって発光部３３から光を照射し、原稿搬送装置２により第２ガラス板３ｃ上を搬送される原稿からの反射光を受光部３４で受光することによって、原稿の画像を読み取ることもできる。
【００２３】
第１ガラス板３ｄに置かれた原稿を読み取る場合には、受光部３４で原稿からの反射光を受光することにより主走査が行われるとともに、発光部３３が副走査方向に移動することにより副走査が行われる。一方、原稿搬送装置２により１枚ずつ第２ガラス板３ｃ上に搬送される原稿を読み取る場合には、受光部３４で原稿からの反射光を受光することにより主走査が行われるとともに、第２ガラス板３ｃ上を原稿が搬送されることにより副走査が行われる。
【００２４】
第１ガラス板３ｄ及び第２ガラス板３ｃは、上筺体３１の上面を構成する上面板３２に形成されており、原稿搬送装置２は、上面板３２に対して上下に開閉可能に取り付けられている。したがって、第１ガラス板３ｄ上に置かれた原稿を画像読取部３で読み取る場合には、原稿搬送装置２を閉じることにより、当該原稿搬送装置２と第１ガラス板３ｄとの間に原稿を挟むことができるようになっている。すなわち、原稿搬送装置２は、第１ガラス板３ｄ上のセット位置に置かれている原稿を押さえるために開閉される開閉カバー１０を構成している。ただし、開閉カバー１０は、原稿搬送装置２により構成されるものに限らず、開閉可能な他のあらゆるカバーを採用することができる。
【００２５】
画像形成部４は、感光体ドラム４ａ、帯電器４ｂ、光書込みユニット４ｃ、現像器４ｄ、転写器４ｅ及び定着器４ｆを備え、電子写真方式により記録紙Ｐに画像を形成する。感光体ドラム４ａの表面には感光体が形成されており、画像形成時には、回転駆動される感光体ドラム４ａの表面が帯電器４ｂにより一様に帯電される。光書込みユニット４ｃは、画像読取部３で読み取った原稿の画像データなどに基づいて、ＬＥＤ(Light-Emitting Diode)又はレーザ光源から光を出力する。帯電器４ｂにより一様に帯電された感光体ドラム４ａの表面には、光書込みユニット４ｃから出力される光で露光されることにより、静電潜像が形成される。
【００２６】
静電潜像が形成された感光体ドラム４ａの表面には、現像器４ｄから供給されるトナーが付着することによりトナー像が形成され、このトナー像が転写器４ｅを用いて記録紙Ｐに転写される。トナー像が転写された記録紙Ｐは、定着器４ｆにより加熱処理及び加圧処理が施された後、排出ローラ４ｇから排出トレイ４ｈ上に排出される。
【００２７】
給紙部５は、記録紙Ｐを収容するための給紙カセット６を備えており、この給紙カセット６内に設けられた支持板９上に、記録紙Ｐを積層した状態で収容することができるようになっている。支持板９は、その第１端部における軸線９ａを中心に回転可能となっており、第１端部とは反対側の第２端部が圧縮ばね９ｂによって上方へ付勢されることにより、最上部の記録紙Ｐが給紙ローラ７に対して押圧される。給紙ローラ７に対向する位置には、例えば分離パッド（図示せず）が配置されており、給紙ローラ７が回転駆動されることにより給紙カセット６内から送り出される記録紙Ｐは、上記分離パッドの作用により、記録紙搬送路１２に１枚ずつ送り出される。
【００２８】
記録紙搬送路１２には、１つ又は複数の記録紙搬送ローラ１３が設けられている。給紙カセット６から１枚ずつ送り出される記録紙Ｐは、記録紙搬送ローラ１３により記録紙搬送路１２内を搬送され、画像形成部４へと送られる。そしてレジストローラ１４により、記録紙Ｐは感光体ドラム４ａの直前で一旦停止され、感光体ドラム４ａに形成されるトナー像を転写させるタイミングに合わせて送り出される。
【００２９】
図２は、上筺体３１の内部構成の一例を示した斜視図であり、上面板３２を取り外した状態を示している。上筺体３１内に収容された画像読取部３は、保持部材３５により保持されている。上筺体３１の底面には、保持部材３５をスライド可能な状態で上方に支持するための支持レール３１１が、当該底面と一体的に形成されている。ただし、支持レール３１１は、上筺体３１の底面と一体的に形成された構成に限られない。
【００３０】
支持レール３１１は、例えば画像読取部３の主走査方向Ｄ１に直交する副走査方向Ｄ２に沿って、一直線状に延びている。この支持レール３１１上に保持部材３５が支持されることにより、当該保持部材３５は副走査方向Ｄ２に沿ってスライド可能となっている。上筺体３１内には、保持部材３５をスライドさせるために駆動される駆動ベルト３６が設けられている。
【００３１】
保持部材３５は、スライド方向に対して直交方向（主走査方向Ｄ１）に延びる長尺形状を有している。保持部材３５は、長手方向の中央部が支持レール３１１により支持されるとともに、長手方向の一端部がスライド方向（副走査方向Ｄ２）に沿ってガイドされるようになっている。上記中央部とは、保持部材３５の長手方向の中心に限らず、当該中心からある程度ずれた範囲まで含む概念である。
【００３２】
この例では、保持部材３５の後方側の端部３５１が、上筺体３１の底面に形成されたガイド面３１２に面接触してガイドされるようになっている。そのため、画像読取部３は、その重心が支持レール３１１よりも端部３５１側に位置するように構成され、これにより、端部３５１が常にガイド面３１２に当接するようになっている。ただし、上記のような構成に限らず、保持部材３５の前方側の端部３５２がガイドされるような構成など、他の各種構成を採用することができる。
【００３３】
本実施形態では、画像読取部３をスライドさせて原稿の画像を読み取る第１読取処理、及び、画像読取部３を静止させた状態で原稿の画像を読み取る第２読取処理を実行可能である。第１読取処理では、第１透明板（第１ガラス板３ｄ）の表面上に原稿をおいた状態で、画像読取部３をスライドさせて当該原稿の画像を読み取る。一方、第２読取処理では、画像読取部３を静止させた状態で、第２透明板（第２ガラス板３ｃ）の表面上を搬送される原稿の画像を読み取る。
【００３４】
第１ガラス板３ｄ及び第２ガラス板３ｃは、上筺体３１を覆うためのカバー部材を構成する上面板３２に対して、保持部材３５のスライド方向（副走査方向Ｄ２）に並べて取り付けられている。ただし、第１透明板及び第２透明板は、ガラス板以外の材料により構成することも可能である。
【００３５】
図３は、画像読取部３の端部の構成を示す斜視図である。画像読取部３は、保持部材３５のスライド方向に対して直交方向（主走査方向Ｄ１）に延びる長尺形状を有しており、画像読取部３の端部には、取付部材４０が着脱可能に取り付けられている。この例では、画像読取部３の長手方向の両端部に取付部材４０が取り付けられているが、各取付部材４０は同一の構成及び取付態様であるため、画像読取部３の一方の端部の構成についてのみ説明する。
【００３６】
取付部材４０は、画像読取部３の端面に対向する第１板部４１と、当該第１板部４１における上下方向の両端辺からそれぞれ同方向に突出する第２板部４２とが一体的に形成されることにより、Ｕ字状に構成されている。取付部材４０の第２板部４２における画像読取部３に対向する面には、例えば凸部又は凹部からなる固定部（図示せず）が形成されており、当該固定部が画像読取部３に形成された対応する凹部又は凸部と嵌り合うことにより、取付部材４０が画像読取部３に取り付けられる。
【００３７】
取付部材４０の上側の第２板部４２は、第１読取処理及び第２読取処理の際にガラス板３ｃ，３ｄの裏面（下面）に対向する。当該第２板部４２の上面は、例えば画像読取部３の上面よりも高い位置に設定されている。このような構成により、取付部材４０における上側の第２板部４２の上面には、ガラス板３ｃ，３ｄに接触するスペーサ部４３が形成されている。
【００３８】
第１読取処理時には、スペーサ部４３が第１ガラス板３ｄの裏面に接触することにより、第１ガラス板３ｄと画像読取部３との距離が一定に保たれる。一方、第２読取処理時には、スペーサ部４３が第２ガラス板３ｃの裏面に接触することにより、第２ガラス板３ｃと画像読取部３との距離が一定に保たれる。画像読取部３を構成しているＣＩＳは、焦点深度が浅く、原稿との距離の精度が高くなければ焦点のずれが生じやすいという特性を有しているため、スペーサ部４３でガラス板３ｃ，３ｄと画像読取部３との距離を一定に保つことにより、焦点のずれを抑制することができる。
【００３９】
取付部材４０の第１板部４１には、第２板部４２が突出する方向とは反対方向に突出する被ガイド部４４が形成されている。被ガイド部４４は、例えば円筒状の軸形状を有している。ただし、被ガイド部４４は、円筒状のものに限らず、他の各種形状で形成することができる。
【００４０】
図４は、上面板３２を裏面側から見た斜視図である。図５は、図４の要部を拡大した斜視図である。図６は、上筺体３１の内部構成の一例を示した部分断面図である。図４〜図６に示すように、上面板３２の裏面（下面）には、取付部材４０の被ガイド部４４に接触可能なガイド部３２１が形成されている。
【００４１】
ガイド部３２１は、例えば第１ガラス板３ｄと第２ガラス板３ｃとの間において上面板３２の裏面から突出するように形成されたリブにより構成されている。図４に示すように、ガイド部３２１は、第１ガラス板３ｄ及び第２ガラス板３ｃの主走査方向Ｄ１の両端部近傍に形成されていることが好ましい。また、図５に示すように、ガイド部３２１には、第１ガラス板３ｄ側及び第２ガラス板３ｃ側に向かってそれぞれ高さが徐々に低くなるようなテーパ面３２２が形成されていることが好ましい。
【００４２】
図６に示すように、第１ガラス板３ｄ側と第２ガラス板３ｃ側との間を画像読取部３がスライドする際には、画像読取部３の両端部に取り付けられた取付部材４０の被ガイド部４４が、上面板３２のガイド部３２１に接触する。ガイド部３２１の最下面３２３は、被ガイド部４４の上部の位置よりも低い位置に設定されており、被ガイド部４４の上部が、ガイド部３２１のテーパ面３２２を介して最下面３２３により押し下げられるようになっている。
【００４３】
画像読取部３は、押圧部材の一例である圧縮ばね３５４を介して、保持部材３５により保持されている。これにより、画像読取部３は、第１読取処理時には第１ガラス板３ｄ側に押圧され、第２読取処理時には第２ガラス板３ｃ側に押圧されるようになっている。第１ガラス板３ｄ側と第２ガラス板３ｃ側との間を画像読取部３がスライドする際には、圧縮ばね３５４の押圧力に抗して、被ガイド部４４の上部がガイド部３２１の最下面３２３により押し下げられる。ただし、上記押圧部材としては、圧縮ばね３５４に限らず、ゴムなどの他の各種部材を採用することができる。
【００４４】
図６に示すように、第１ガラス板３ｄ側と第２ガラス板３ｃ側との間を画像読取部３がスライドする際には、上面板３２の裏面に形成されたガイド部３２１に沿って被ガイド部４４がガイドされることにより、スペーサ部４３と上面板３２の裏面との間に空間６０が形成される。保持部材３５の側面には、ガイド部３２１に沿ってガイドされる被ガイド部４４が当該側面に接触するのを防止するために、被ガイド部４４の下方に切欠き３５５が形成されている。
【００４５】
本実施形態では、第１ガラス板３ｄ及び第２ガラス板３ｃの裏面に接触するスペーサ部４３と、上面板３２の裏面に形成されたガイド部３２１に沿ってガイドされる被ガイド部４４とが、取付部材４０に同一の材料で一体的に形成されている。そのため、部品点数を少なくして、製造コストを低減することができる。
【００４６】
スペーサ部４３及び被ガイド部４４は、滑りを良くする観点から、いずれも動摩擦係数が比較的小さい材料で形成されることが好ましい。スペーサ部４３及び被ガイド部４４の動摩擦係数は、０．１５以下であることが好ましく、０．１以下であればより好ましい。例えば、取付部材４０全体が、ＰＡ（ポリアミド）、ＰＥＴ（ポリエチレンテレフタレート）又はＰＯＭ（ポリアセタール）などの樹脂により形成されていてもよい。このように、いずれも動摩擦係数が比較的小さい材料で形成されることが好ましいスペーサ部４３及び被ガイド部４４を一体的に形成することにより、効率よく製造コストを低減することができる。
【００４７】
また、本実施形態では、取付部材４０が画像読取部３に対して着脱可能であるため、必要に応じて取付部材４０を画像読取部３から取り外すことができる。例えば、取付部材４０が摩耗した場合などには、取付部材４０を画像読取部３から取り外して、新しい取付部材４０に交換することが可能である。また、画像読取部３を交換する場合などには、取付部材４０を画像読取部３から取り外して、新しい画像読取部３に取り付けることも可能である。
【００４８】
さらに、取付部材４０が画像読取部３の長手方向の両端部に取り付けられているため、これらの取付部材４０の各スペーサ部４３により、第１ガラス板３ｄと画像読取部３との距離、及び、第２ガラス板３ｃと画像読取部３との距離を安定して一定に保つことができる。また、画像読取部３の長手方向の両端部に取り付けられた取付部材４０の各被ガイド部４４により、画像読取部３をガイド部３２１に沿って安定してガイドすることができる。
【００４９】
本実施形態では、図３及び図６に示すように、被ガイド部４４が、取付部材４０におけるスライド方向（副走査方向Ｄ２）の中央部に形成されている。そのため、画像読取部３の長手方向の両端部に同一の取付部材４０が取り付けられることにより、各取付部材４０の被ガイド部４４が、スライド方向に対して直交方向（主走査方向Ｄ１）に沿って同軸上に位置している。これにより、画像読取部３をガイド部３２１に沿って安定してガイドすることができるとともに、同一の取付部材４０を用いることにより、部品点数を少なくして、製造コストを低減することができる。
【符号の説明】
【００５０】
１    画像形成装置
１ａ  筺体
２    原稿搬送装置
３    画像読取部
３ｄ  第１ガラス板（第１透明板）
３ｃ  第２ガラス板（第２透明板）
３１    上筺体
３２    上面板
３３    発光部
３４    受光部
３５    保持部材
４０    取付部材
４３    スペーサ部
４４    被ガイド部
３２１    ガイド部
【図１】
2012244486.tif 000003
【図２】
2012244486.tif 000004
【図３】
2012244486.tif 000005
【図４】
2012244486.tif 000006
【図５】
2012244486.tif 000007
【図６】
2012244486.tif 000008